(57)【要約】【課題】利用者、無線ＬＡＮスポットが増え、無線ＬＡＮスポット提供者にとって集客力を上げ、利用者にとってどこでも利用でき、無線ＬＡＮスポットそのもので直接的な収益を上げることができ、無線ＬＡＮスポットのエリアを拡大できるようにする。【解決手段】無線ＬＡＮスポットでの広告配信システムに、複数の無線ＬＡＮスポット１０２とインターネット１０４を経由して接続し、広告を蓄積し、各無線ＬＡＮスポットに広告を配信させ、各無線ＬＡＮスポット毎に広告料の支払いの基礎となる広告表示回数を蓄積し更新する広告配信サーバ１０３と、端末から無線ＬＡＮ経由で無線ＬＡＮスポットに対するインターネットへのアクセスに対して広告配信サーバから配信された広告を端末に表示させた後にインターネットへの接続を無料で行う無線ＬＡＮスポットの広告表示／接続部１２１、１２２とを備える。【選択図】図１
2005267122.tif 000002
【特許請求の範囲】
【請求項１】
無線ＬＡＮスポットでの広告配信システムにおいて、
複数の無線ＬＡＮスポットとインターネットを経由して接続し、広告を蓄積し、各無線ＬＡＮスポットに広告を配信させ、各無線ＬＡＮスポット毎に広告料の支払いの基礎となる広告表示回数を蓄積し更新する広告配信サーバと、
端末から無線ＬＡＮ経由で前記無線ＬＡＮスポットに対するインターネットへのアクセスに対して前記広告配信サーバから配信された広告を前記端末に表示させた後にインターネットへの接続を無料で行う無線ＬＡＮスポットの広告表示／接続部とを備えることを特徴とする無線ＬＡＮスポットでの広告配信システム。
【請求項２】
前記広告表示／接続部は、端末のＭＡＣアドレスを登録し、前記無線ＬＡＮスポットに対するインターネットへのアクセスに対して端末のＭＡＣアドレスの登録の有無を判断し、端末のＭＡＣアドレスが登録されていない場合には、前記広告配信サーバから配信された広告を前記端末に表示させた後に端末のＭＡＣアドレスを登録し、登録されている場合には、前記無線ＬＡＮスポットに対するインターネットへのアクセスに対してそのままインターネットへの接続を行い、インターネットの接続後に端末のＭＡＣアドレスの登録を消去することを特徴とする、請求項１に記載の無線ＬＡＮスポットでの広告配信システム。
【請求項３】
前記広告表示／接続部は、前記端末のＭＡＣアドレスが登録されていない場合には、前記端末に前記広告配信サーバのＵＲＬを送信し、前記端末からインターネットへの接続要求に対してＵＲＬを調べ、前記広告配信サーバのＵＲＬへの接続要求に対して無条件に前記端末から前記広告配信サーバへの接続を可能にし、前記広告配信サーバから前記端末に広告を表示させることを特徴とする、請求項２に記載の無線ＬＡＮスポットでの広告配信システム。
【請求項４】
前記広告表示／接続部は、前記端末から前記広告配信サーバへの接続時に、前記端末を前記広告配信サーバに接続させる無線ＬＡＮスポットの識別番号を前記広告配信サーバに知らせ、前記広告配信サーバは、前記広告表示／接続部から知らされた識別番号を確認し確認毎に該当する無線ＬＡＮスポットに対する広告表示回数を１だけ増加し更新することを特徴とする、請求項３に記載の無線ＬＡＮスポットでの広告配信システム。
【請求項５】
前記広告配信サーバは、複数の前記無線ＬＡＮスポットにそれぞれ識別番号を付与し、前記無線ＬＡＮスポットの識別番号に対して前記広告表示回数を蓄積、更新することを特徴とする、請求項１に記載の無線ＬＡＮスポットでの広告配信システム。
【請求項６】
前記広告表示／接続部は自動設定送信部を持ち、さらに、前記端末に自動設定制御部を持たせ、前記広告表示／接続部の前記自動設定送信部は前記端末の無線ＬＡＮの接続に対してＳＳＩＤ、ＷＥＰキー、ＩＰアドレスを含む各種設定情報を用い、設定情報に前記広告配信サーバのＵＲＬを埋め込んで前記端末に送信し、前記端末の前記自動設定制御部は、前記自動設定送信部から送信された設定情報を読み込み、前記端末に設定させ、前記端末に広告を表示させることを特徴とする、請求項１に記載の無線ＬＡＮスポットでの広告配信システム。
【請求項７】
前記広告表示／接続部の前記自動設定送信部は前記設定情報に広告そのものを含ませて前記端末に送信することを特徴とする、請求項６に記載の無線ＬＡＮスポットでの広告配信システム。
【請求項８】
前記広告配信サーバは、各無線ＬＡＮスポット毎に異なる広告を蓄積し、異なる広告を配信することを特徴とする、請求項１に記載の無線ＬＡＮスポットでの広告配信システム。
【請求項９】
無線ＬＡＮスポットでの広告配信方法において、
複数の無線ＬＡＮスポットとインターネットを経由して接続し、広告を蓄積し、各無線ＬＡＮスポットに広告を配信させ、各無線ＬＡＮスポット毎に広告料の支払いの基礎となる広告表示回数を蓄積し更新する工程と、
端末から無線ＬＡＮ経由で前記無線ＬＡＮスポットに対するインターネットへのアクセスに対して配信された広告を前記端末に表示させた後にインターネットへの接続を無料で行う工程とを備えることを特徴とする無線ＬＡＮスポットでの広告配信方法。
【請求項１０】
無線ＬＡＮスポットでの広告配信をコンピュータに実行させるプログラムにおいて、
複数の無線ＬＡＮスポットとインターネットを経由して接続し、広告を蓄積し、各無線ＬＡＮスポットに広告を配信させ、各無線ＬＡＮスポット毎に広告料の支払いの基礎となる広告表示回数を蓄積し更新する手順と、
端末から無線ＬＡＮ経由で前記無線ＬＡＮスポットに対するインターネットへのアクセスに対して配信された広告を前記端末に表示させた後にインターネットへの接続を無料で行う手順とを備えることを特徴とする、無線ＬＡＮスポットでの広告配信をコンピュータに実行させるプログラム。
【請求項１１】
無線ＬＡＮスポットに広告を配信させる広告配信サーバにおいて、
複数の無線ＬＡＮスポットとインターネットを経由して通信を行い、各無線ＬＡＮスポットからの要求に対して前記各無線ＬＡＮスポットに広告を配信し前記各無線ＬＡＮスポットから端末に広告を表示させ、広告表示後に前記各無線ＬＡＮスポットに対して前記端末に無料でインターネットに接続させるための通信部と、
前記通信部を介して前記無線ＬＡＮスポットに配信するための広告を蓄積する広告データベースと、
前記通信部を介して各前記無線ＬＡＮスポットに広告を配信する毎に広告料の支払いの基礎となる広告表示回数を蓄積し更新する広告料データベースとを備えることを特徴とする広告配信サーバ。
【請求項１２】
端末から無線ＬＡＮでのアクセスに対してインターネットへの接続を行う無線ＬＡＮスポットにおいて、
インターネットを経由して広告配信サーバに接続し、前記広告配信サーバに広告を配信させ、配信された広告を前記端末に表示させる毎に無線ＬＡＮスポットに対する広告料の支払いの基礎となる広告表示回数を管理させる前記無線ＬＡＮスポットの識別番号を知らせるための通信部と、
無線ＬＡＮ経由で前記端末をインターネットに接続させるアクセスポイントと、
前記端末のＭＡＣアドレスを登録し、前記アクセスポイントを経由して前記端末からインターネットへのアクセス要求に対して前記端末のＭＡＣアドレスの登録の有無を判断し、前記端末のＭＡＣアドレスが登録されていない場合には、前記広告配信サーバから前記通信部を経由して配信された広告を前記アクセスポイントを経由して前記端末に表示させた後に端末のＭＡＣアドレスを登録し、登録されている場合には、前記アクセスポイントに対するインターネットへのアクセスに対して前記通信部に対してそのまま無料でインターネットへの接続を行わせ、そのまま無料でインターネットへの接続後に一旦登録した前記端末のＭＡＣアドレスを消去する端末データベースとを備えることを特徴とする無線ＬＡＮスポット。
【発明の詳細な説明】
【技術分野】
【０００１】
本発明は端末から無線ＬＡＮ経由でインターネットに接続させる無線ＬＡＮスポットに関する。特に、本発明は、利用者、無線ＬＡＮスポットが増え、無線ＬＡＮスポット提供者にとって集客力を上げ、利用者にとってどこでも利用でき、無線ＬＡＮスポットそのもので直接的な収益を上げることができ、無線ＬＡＮスポットのエリアを拡大できる無線ＬＡＮスポットでの広告配信システム、方法、プログラム、広告配信サーバ及び無線ＬＡＮスポットに関する。
【背景技術】
【０００２】
近年、無線ＬＡＮ（Ｌｏｃａｌ  Ａｒｅａ  Ｎｅｔｗｏｒｋ）の普及に伴い、屋外、屋内で無線ＬＡＮを使ってインターネットなどへの接続サービスを提供する公衆無線ＬＡＮスポットサービスの展開が進んでいる。
従来、無線ＬＡＮスポットサービスのビジネスモデルとしては、以下のように、何通りかの方法がある。
【０００３】
第１の方法は、無線ＬＡＮスポット利用料金を利用者から直接徴収するモデルである。この方法は最も一般的であるが、利用者を増やすためには低料金でかつ利用可能なエリアが十分広いことが条件となる。しかし、現状では、両方を十分に満たすモデルは確立しておらず、特に利用可能なエリアが極めて狭いという問題がある。利用者が増えなければ無線ＬＡＮスポットも増えず、料金も安くならないため、悪循環に陥りがちであるという問題がある。
【０００４】
第２の方法は、無線ＬＡＮスポット利用料金は無料であるが特定顧客専用のサービスとして提供するモデルである。具体的には、店舗の利用者、ホテル滞在者などに提供するようなモデルである。
第２の方法の従来技術例として以下のものがある。
また、従来、基本的に業務使用目的としての企業内の会議室でのホットスポットサービスで、加入者増を確保できるホットスポットサービスシステムを提供するため、サービスプロバイダーの法人契約者に帰属するホットスポットに無線ＬＡＮアクセスポイントを設置し、ホットスポット内の法人契約者に帰属する利用者の情報端末により無線ＬＡＮアクセスポイントを介してインターネット網をアクセスして所望の情報を授受し、ホットスポット内の法人契約者に帰属しない来訪者が利用するクライアントとしての情報端末により無線ＬＡＮアクセスポイントを介してインターネット網をアクセスして所望の情報を授受する際は、インターネット網を介して認証サーバに接続され、認証条件に合致した場合のみインターネットに接続を許可するものがある（例えば、特許文献１参照）。
【０００５】
しかしながら、第２の方法では、集客力を上げるというメリットはあるが、無線ＬＡＮスポットのエリアは極めて限定されており、利用者にとってどこでも利用できるわけではないという問題がある。また、無線ＬＡＮスポットそのもので直接的な収益を上げることができないという問題がある。
第３の方法は、無線ＬＡＮスポット利用料金は無料であるが、その無線ＬＡＮスポット提供者の広告を配信するモデルである。
【０００６】
第３の方法の従来技術例として以下のものがある。
すなわち、従来、顧客に対しインターネット接続サービスを提供するかわりに一定の商業的な効果を上げるため、コーヒーショップに基地局を設けると、そのコーヒーショップの顧客は、コーヒーショップのローカルサーバを通じてインターネットに接続をし、自由にインターネットを利用できるようになり、自動的に無償でインターネット接続サービスを提供するかわりに、接続初期画面で必ず、そのローカルサーバの指定するウェブページを通信端末のブラウザに表示させ、このウェブページには、例えば、コーヒーショップのメニューやその他の広告が含まれるものがある（例えば、特許文献２参照）。
【０００７】
また、従来、通信サービスの利用者に対して広告情報を効果的に配信することにより、通信サービス事業者の資本負担および利用者の通信費用負担を軽減させるため、広告主がＡＰ（基地局）と広告サーバを管理・運営し、あらかじめ、広告サーバからインターネットに接続されたプロバイダを経由してＡＰの情報記憶装置へ広告情報を配信し、ＡＰは受信した広告情報に自己のＡＰアドレスがあるとき広告情報を更新し、次に、ＡＰからＭＴ（携帯端末）へ通信情報を配信するときに、ＡＰの情報記憶装置に記憶されている広告情報を通信情報に付加してＭＴに配信し、これによって、ＭＴは通信情報を送受信するときに携帯端末の広告スペースに広告情報を表示するものがある（例えば、特許文献３参照）。
【０００８】
しかしながら、第３の方法では、この方法では、集客力に加え、無線ＬＡＮスポット提供者にとっての広告効果も得られるが、無線ＬＡＮスポットのエリアは極めて限定されており、利用者にとってどこでも利用できるわけではないという問題がある。また、無線ＬＡＮスポットそのもので直接的な収益を上げることができないという問題がある。
第４の方法は、無線ＬＡＮスポット提供者が第３者の広告を配信し、広告料で無線ＬＡＮスポット利用料金を無料にするモデルである。
【０００９】
第４の方法の従来技術例として以下のものがある。
また、従来、無線LANシステムによりインターネットに接続するユーザに対し、広告内容に関する印象を必ず与えることを可能にするサービスの提供を行うため、ノートパソコンからアクセス符合（ＥＳＳ−ＩＤ）を入力することにより、ノートパソコンは無線ＬＡＮアクセスポイントに接続され、ひいてはＩＥＥＥ８０２．１１ｂ規格の無線ＬＡＮに接続され、無線ＬＡＮに接続するにはアクセス符合の入力が必須であり、そこで、このアクセス符合として“ＭＡＬＩＢＵ”なる広告主企業のサービスマークを設定しておくことにより、ノートパソコンのユーザは、その無線ＬＡＮを介してインターネットにアクセスするときには、アクセス符合たる“ＭＡＬＩＢＵ”に印象付けられ、“ＭＡＬＩＢＵ”は自動的に確実にユーザに広告される。喫茶店側は、広告主からインターネット接続料を徴収できるので、インターネット接続サービスを無料で客に提供できるものがある（例えば、特許文献４参照）。
【００１０】
しかしながら、第４の方法では、無線ＬＡＮスポット提供者にとって集客力を上げるというメリットはあるが、無線ＬＡＮスポットのエリアは極めて限定されており、利用者にとってどこでも利用できるわけではないという問題がある。また、無線ＬＡＮスポットそのもので直接的な収益を上げることができないという問題がある。
【００１１】
【特許文献１】特開２００３−３１８９９１号公報
【特許文献２】特開２００３−３１６９０９号公報
【特許文献３】特開２００３−３３３６３６号公報
【特許文献４】特開２００３−０６７６３０号公報
【発明の開示】
【発明が解決しようとする課題】
【００１２】
したがって、本発明は上記問題点に鑑みて、利用者、無線ＬＡＮスポットが増え、無線ＬＡＮスポット提供者にとって集客力を上げ、利用者にとってどこでも利用でき、無線ＬＡＮスポットそのもので直接的な収益を上げることができ、無線ＬＡＮスポットのエリアを拡大できる無線ＬＡＮスポットでの広告配信システム、方法、プログラム、広告配信サーバ及び無線ＬＡＮスポットを提供することを目的とする。
【課題を解決するための手段】
【００１３】
本発明は前記問題点を解決するために、無線ＬＡＮスポットでの広告配信システムにおいて、複数の無線ＬＡＮスポットとインターネットを経由して接続し、広告を蓄積し、各無線ＬＡＮスポットに広告を配信させ、各無線ＬＡＮスポット毎に広告料の支払いの基礎となる広告表示回数を蓄積し更新する広告配信サーバと、端末から無線ＬＡＮ経由で前記無線ＬＡＮスポットに対するインターネットへのアクセスに対して前記広告配信サーバから配信された広告を前記端末に表示させた後にインターネットへの接続を無料で行う無線ＬＡＮスポットの広告表示／接続部とを備えることを特徴とする無線ＬＡＮスポットでの広告配信システムを提供する。
【００１４】
さらに、前記広告表示／接続部は、端末のＭＡＣアドレスを登録し、前記無線ＬＡＮスポットに対するインターネットへのアクセスに対して端末のＭＡＣアドレスの登録の有無を判断し、端末のＭＡＣアドレスが登録されていない場合には、前記広告配信サーバから配信された広告を前記端末に表示させた後に端末のＭＡＣアドレスを登録し、登録されている場合には、前記無線ＬＡＮスポットに対するインターネットへのアクセスに対してそのままインターネットへの接続を行い、インターネットの接続後に端末のＭＡＣアドレスの登録を消去する。
【００１５】
さらに、前記広告表示／接続部は、前記端末のＭＡＣアドレスが登録されていない場合には、前記端末に前記広告配信サーバのＵＲＬを送信し、前記端末からインターネットへの接続要求に対してＵＲＬを調べ、前記広告配信サーバのＵＲＬへの接続要求に対して無条件に前記端末から前記広告配信サーバへの接続を可能にし、前記広告配信サーバから前記端末に広告を表示させる。
【００１６】
さらに、前記広告表示／接続部は、前記端末から前記広告配信サーバへの接続時に、前記広告配信サーバに前記端末を前記広告配信サーバに接続させる無線ＬＡＮスポットの識別番号を前記広告配信サーバに知らせ、前記広告配信サーバは、前記広告表示／接続部から知らされた識別番号を確認し確認毎に該当する無線ＬＡＮスポットに対する広告表示回数を１だけ増加し更新する。
さらに、前記広告配信サーバは、複数の前記無線ＬＡＮスポットにそれぞれ識別番号を付与し、前記無線ＬＡＮスポットの識別番号に対して前記広告表示回数を蓄積、更新する。
【００１７】
さらに、前記広告表示／接続部は自動設定送信部を持ち、さらに、前記端末に自動設定制御部を持たせ、前記広告表示／接続部の前記自動設定送信部は前記端末の無線ＬＡＮの接続に対してＳＳＩＤ、ＷＥＰキー、ＩＰアドレスを含む各種設定情報を用い、設定情報に前記広告配信サーバのＵＲＬを埋め込んで前記端末に送信し、前記端末の前記自動設定制御部は、前記自動設定送信部から送信された設定情報を読み込み、前記端末に設定させ、前記端末に広告を表示させる。
【００１８】
さらに、前記広告表示／接続部の前記自動設定送信部は前記設定情報に広告そのものを含ませて前記端末に送信する。
さらに、前記広告配信サーバは、各無線ＬＡＮスポット毎に異なる広告を蓄積し、異なる広告を配信する。
さらに、本発明は、無線ＬＡＮスポットでの広告配信方法において、複数の無線ＬＡＮスポットとインターネットを経由して接続し、広告を蓄積し、各無線ＬＡＮスポットに広告を配信させ、各無線ＬＡＮスポット毎に広告料の支払いの基礎となる広告表示回数を蓄積し更新する工程と、端末から無線ＬＡＮ経由で前記無線ＬＡＮスポットに対するインターネットへのアクセスに対して配信された広告を前記端末に表示させた後にインターネットへの接続を無料で行う工程とを備えることを特徴とする無線ＬＡＮスポットでの広告配信方法を提供する。
【００１９】
さらに、本発明は、無線ＬＡＮスポットでの広告配信をコンピュータに実行させるプログラムにおいて、複数の無線ＬＡＮスポットとインターネットを経由して接続し、広告を蓄積し、各無線ＬＡＮスポットに広告を配信させ、各無線ＬＡＮスポット毎に広告料の支払いの基礎となる広告表示回数を蓄積し更新する手順と、端末から無線ＬＡＮ経由で前記無線ＬＡＮスポットに対するインターネットへのアクセスに対して配信された広告を前記端末に表示させた後にインターネットへの接続を無料で行う手順とを備えることを特徴とする無線ＬＡＮスポットでの広告配信をコンピュータに実行させるプログラムを提供する。
【００２０】
さらに、本発明は、無線ＬＡＮスポットに広告を配信させる広告配信サーバにおいて、複数の無線ＬＡＮスポットとインターネットを経由して通信を行い、各無線ＬＡＮスポットからの要求に対して前記各無線ＬＡＮスポットに広告を配信し前記各無線ＬＡＮスポットから端末に広告を表示させ、広告表示後に前記各無線ＬＡＮスポットに対して前記端末に無料でインターネットに接続させるための通信部と、前記通信部を介して前記無線ＬＡＮスポットに配信するための広告を蓄積する広告データベースと、前記通信部を介して各前記無線ＬＡＮスポットに広告を配信する毎に広告料の支払いの基礎となる広告表示回数を蓄積し更新する広告料データベースとを備えることを特徴とする広告配信サーバを提供する。
【００２１】
さらに、本発明は、端末から無線ＬＡＮでのアクセスに対してインターネットへの接続を行う無線ＬＡＮスポットにおいて、インターネットを経由して広告配信サーバに接続し、前記広告配信サーバに広告を配信させ、配信された広告を前記端末に表示させる毎に無線ＬＡＮスポットに対する広告料の支払いの基礎となる広告表示回数を管理させる前記無線ＬＡＮスポットの識別番号を知らせるための通信部と、無線ＬＡＮ経由で前記端末をインターネットに接続させるアセスポイントと、前記端末のＭＡＣアドレスを登録し、前記アクセスポイントを経由して前記端末からインターネットへのアクセス要求に対して前記端末のＭＡＣアドレスの登録の有無を判断し、前記端末のＭＡＣアドレスが登録されていない場合には、前記広告配信サーバから前記通信部を経由して配信された広告を前記アクセスポイントを経由して前記端末に表示させた後に端末のＭＡＣアドレスを登録し、登録されている場合には、前記アクセスポイントに対するインターネットへのアクセスに対して前記通信部に対してそのまま無料でインターネットへの接続を行わせ、そのまま無料でインターネットへの接続後に一旦登録した前記端末のＭＡＣアドレスを消去する端末データベースとを備えることを特徴とする無線ＬＡＮスポットを提供する。
【発明の効果】
【００２２】
以上説明したように、本発明によれば、無線ＬＡＮスポットに接続する端末に広告を配信させ、広告の配信数に応じた広告料を無線ＬＡＮスポットの事業者に対して広告配信サーバの広告主若しくはその代理（広告代理店など）が支払うシステムを構築したので、無線ＬＡＮスポット提供者である無線ＬＡＮスポットの事業者は、無線ＬＡＮスポットの利用者数の増加に応じて広告収入が得られるという効果を期待でき、従来、特に個人レベルでは公衆無線ＬＡＮスポットの提供側での料金の徴収は難しかったが、これを解決することができる。
【００２３】
また、広告配信サーバの広告主若しくはその代理（広告代理店など）側で広告の表示回数を管理できるので、無線ＬＡＮスポットの事業者に正しく広告料の支払いを行うことができる。
また、一般の事業者／店舗に公衆無線ＬＡＮスポットを置くモデルだけでなく、個人レベルで公衆無線ＬＡＮスポットを置いて広告収入を得ることも可能になり、個人レベルでの公衆無線ＬＡＮスポット設置のモチベーションが上がり、無線ＬＡＮスポットの数が増加すると期待される。この結果、利用者にとって無線ＬＡＮスポットを利用するエリアが広がることになり、公衆無線ＬＡＮスポットの利用環境が向上する効果が期待でき、利用者にとっては無料で無線ＬＡＮスポットを利用できるので、利用者の増加が期待される。
【００２４】
また、広告配信サーバの広告主若しくはその代理（広告代理店など）にとっては、リッチな広告コンテンツを配信することが可能になり、広告配信のチャンネルがより増えるという利点が期待される。
さらに、地域に応じて適切な広告を配信することができるため、広告効果を向上させることが可能である。
【発明を実施するための最良の形態】
【００２５】
以下、本発明の実施の形態について図面を参照して説明する。
図１は本発明に係る無線ＬＡＮスポットでの広告配信システムの概略構成を示すブロック図である。本図に示すように、無線ＬＡＮ（Ｌｏｃａｌ  Ａｒｅａ  Ｎｅｔｗｏｒｋ）スポットでの広告配信システムは端末１０１を含む。
端末１０１は携帯電話型の子型端末であり、ＰＤＡ（携帯情報端末）、ノートＰＣ（パーソナルコンピュータ）などの形態をとり、無線ＬＡＮに接続され、ネットワークサービスを受けるための端末である。
【００２６】
端末１０１には無線ＬＡＮ接続手段１１１が設けられ、端末１０１は、無線ＬＡＮ接続手段１１１を利用して、無線ＬＡＮ１０６経由で、後述する無線ＬＡＮスポットシステム１０２のアクセスポイント１２１に接続／通信することが可能である。
無線ＬＡＮ接続手段１１１はＭＡＣ（Ｍｅｄｉａ  Ａｃｃｅｓｓ  Ｃｏｔｒｏｌ）アドレスを１つ持ち、ＭＡＣアドレスとは、ＬＡＮに接続する装置が必ず１つ持つ固定アドレスであり、装置個体を一意に認識できるものである。
【００２７】
また、端末１０１にはＷｅｂブラウザ１１２が設けられ、Ｗｅｂブラウザ１１２はＨＴＴＰ（Ｈｙｐｅｒ  Ｔｅｘｔ  Ｔｒａｎｓｆｅｒ  Ｐｒｏｔｏｃｏｌ）を使用してＷｅｂサーバに接続し、ＨＴＭＬで記述されるＷｅｂページを閲覧することができる。
次に、無線ＬＡＮスポットでの広告配信システムには複数の無線ＬＡＮスポットシステム１０２が設けられ、各無線ＬＡＮスポットシステム１０２は通常無線ＬＡＮスポット事業者が配置するものであり、必要な装置さえ備えることができれば個人レベルで配置してもよいものである。
【００２８】
無線ＬＡＮスポットシステム１０２には前述のアセスポイント１２１及び広告表示／接続サーバ１２２が設けられる。
アセスポイント１２１は無線ＬＡＮ１０６経由で端末１０１をインターネット１０４に接続させるための装置であり、無線ＬＡＮ１０６経由で端末１０１と接続され、さらに、有線ＬＡＮ１０７経由で広告表示／接続サーバ１２２と接続される。
【００２９】
また、無線ＬＡＮスポットシステム１０２に対して１つのホットスポットＩＤ（Ｉｄｅｎｔｉｆｉｅｒ：識別番号）が割り当てられ、このＩＤは、無線ＬＡＮスポットシステム１０２を一意に識別するためのＩＤで、広告料金の支払い先を特定するために使用される。
広告表示／接続サーバ１２２は端末１０１をインターネット１０４に接続させ、さらに、端末１０１に広告を表示させるためのサーバ装置であり、ＨＴＴＰ通信部１２４、端末データベース（ＤＢ）１２３を持つ。
【００３０】
ＨＴＴＰ通信部１２４は端末１０１及び広告配信サーバ１０３とＨＴＴＰで通信するための装置である。
端末データベース１２３はインターネット１０４への接続を許可した端末のＭＡＣアドレスの一覧を保持するためのデータベースである。
広告表示／接続サーバ１２２はアセスポイント１２１、インターネット１０４へそれぞれ有線ＬＡＮで接続されている。
【００３１】
無線ＬＡＮスポットでの広告配信システムには広告配信サーバ１０３が設けられ、広告配信サーバ１０３は広告を配信し、広告料の支払い管理をするサーバであり、通常広告主若しくはその代理（広告代理店など）が配置し運用するものである。
広告配信サーバ１０３には広告データベース（ＤＢ）１３１、広告料データベース（ＤＢ）１３２、ＨＴＴＰ通信部１３３が設けられる。
【００３２】
広告データベース１３１は、広告主から提供される広告データを蓄積し、広告データはＨＴＭＬで記述されたデータであり、無線ＬＡＮスポットシステム１０２を経由して端末１０１に送られ、Ｗｅｂブラウザ１１２で表示される。
広告料データベース１３２は端末１０１に配信し表示させた広告表示回数を蓄積し広告表示回数に応じて無線ＬＡＮスポットシステム１０２に対して支払う広告料を管理するためのデータベースであり、具体的には、後述する図３に示すように、ホットスポットＩＤ毎に広告料の支払いの基礎となる広告表示回数を管理する。
【００３３】
ＨＴＴＰ通信部１３３は、インターネット１０４を介して、広告表示／接続サーバ１２２と通信するための装置である。
次に、無線ＬＡＮスポットでの広告配信システムはサービスサーバ１０５への接続を行うサービス機能を有し、サービスサーバ１０５は端末１０１に対してサービスを提供するためのＨＴＴＰサーバである。無線ＬＡＮスポットシステム１０２、広告配信サーバ１０３、サービスサーバ１０５はインターネット１０４を介して互いに接続されている。
【００３４】
なお、無線ＬＡＮスポットシステム１０２、広告配信サーバ１０３はコンピュータ等の情報処理装置であり、プログラムで動作し、プログラムはコンピュータで読み取り可能な記録媒体に記録され、この記録媒体で他のコンピュータの利用を可能にする。
図２は図１における広告配信サーバ１０３の広告料データベース１３２により管理される広告表示回数の例を示す図である。本図に示すように、広告配信サーバ１０３の広告料データベース１３２により無線ＬＡＮスポットＩＤに対して広告表示回数が蓄積、管理される。例えば、無線ＬＡＮスポットＩＤであるＨｏｔＳｐｏｔＡに対して５００回、ＨｏｔＳｐｏｔＢに対して１５０回、ＨｏｔＳｐｏｔＣに対して３００回のように蓄積、管理が行われる。
【００３５】
図３は図１における無線ＬＡＮスポットでの広告配信システムの動作例を説明するフローチャートである。
本図に示すように、ステップＳ２０１において、初期状態として、端末データベース１２３の内容は空であるとし、端末ユーザが端末１０１を使ってインターネットに接続して各種サービスを受けるため、以下の手順で、実施し、まず最初に、端末１０１は無線ＬＡＮ接続手段１１１を起動し、アセスポイント１２１への接続を行う。
【００３６】
ステップＳ２０２において、次に、サービスを受けるため、ユーザはＷｅｂブラウザ１１２を立ち上げて、Ｗｅｂブラウザ１１２は、通信を行うためにＨＴＴＰを用いてサービスサーバ１０５への接続を試み、具体的には、ＨＴＴＰ−Ｒｅｑｕｅｓｔパケットを無線ＬＡＮ１０６経由で送信する。
ステップＳ２０３において、アセスポイント１２１はＨＴＴＰパケットを受信すると、これを広告表示／接続サーバ１２２に転送する。広告表示／接続サーバ１２２はこれを受け取ったら、最初にパケットの送信元のＭＡＣアドレスを調べ、それが端末データベース１２３に登録されているアドレスであるか否かを調べる。
【００３７】
ステップＳ２０４において、広告表示／接続サーバ１２２は、登録されていない場合、強制的に広告を配信させるようにするため、広告配信サーバ１０３のＵＲＬ（Ｕｎｉｆｏｒｍ  Ｒｅｓｏｕｒｃｅ  Ｌｏｃａｔｏｒ）をＨＴＴＰ−Ｒｅｄｉｒｅｃｔ  Ｒｅｓｐｏｎｓｅメッセージで端末１０１に送り返す。
ステップＳ２０５において、Ｗｅｂブラウザ１１２は、このＨＴＴＰ−Ｒｅｄｉｒｅｃｔ  Ｒｅｓｐｏｎｓｅメッセージを受信したら、このメッセージに記述されたＵＲＬにＨＴＴＰで接続する。具体的には、ＨＴＴＰ−Ｒｅｑｕｅｓｔを送信する。
【００３８】
ステップＳ２０６において、広告表示／接続サーバ１２２はこのＨＴＴＰ−Ｒｅｑｕｅｓｔを受け取ったら、そのＵＲＬを調べる。ＵＲＬが広告配信サーバ１０３のものだった場合、無条件でＨＴＴＰ−Ｒｅｑｕｅｓｔを広告配信サーバ１０３に転送する。このとき、ＨＴＴＰ-ＲｅｑｕｅｓｔのヘッダにホットスポットＩＤを、以下のように、埋め込む。
図４はＨＴＴＰ-ＲｅｑｕｅｓｔのヘッダにホットスポットＩＤを埋め込む例を説明する図である。本図に示すように、具体的には、ＨＴＴＰヘッダにＸ−ＨｏｔＳｐｏｔ−ＩＤ：ヘッダを挿入し、例えば、ここにホットスポットＩＤとして、ＨｏｔＳｐｏｔＢを書き込み、広告表示／接続サーバ１２２から広告配信サーバ１０３にＨｏｔＳｐｏｔＢが知らされる。
【００３９】
ステップＳ２０７において、広告配信サーバ１０３は、ＨＴＴＰ−Ｒｅｑｕｅｓｔを受け取ったら、ヘッダに含まれるホットスポットＩＤを確認し、確認毎に確認したホットスポットＩＤに対する広告表示回数を１だけ増加させて広告料データベース１３２を更新する。
ステップＳ２０８において、ＨＴＴＰ-Ｒｅｑｕｅｓｔで広告データベース１３１に含まれる広告の１つを選ぶ。
【００４０】
ステップＳ２０９において、端末１０１にＨＴＴＰ−Ｒｅｓｐｏｎｓｅで返信する。
ステップＳ２１０において、広告表示／接続サーバ１２２ではこのＨＴＴＰ−Ｒｅｓｐｏｎｓｅを端末１０１に送り返すとともに、端末データベース１２３に端末１０１のＭＡＣアドレスを登録する。
ステップＳ２１１において、Ｗｅｂブラウザ１１２は、このＨＴＴＰ−Ｒｅｓｐｏｎｓｅを受け取ったら、画面に表示する。これにより、端末１０１の画面に広告が表示される。
【００４１】
ステップＳ２１２において、ユーザは広告を読み終わったら、Ｗｅｂブラウザ１１２を操作して再度サービスサーバ１０５に接続し、ＨＴＴＰ−Ｒｅｑｕｅｓｔを送信する。
ステップＳ２１３において、広告表示／接続サーバ１２２がこれを受け取ると、端末１０１のＭＡＣアドレスを端末データベース１２３と照合する。
ステップＳ２１４において、端末１０１のＭＡＣアドレスは広告表示後は端末データベース１２３に登録されているので、端末データベース１２３との照合は成功する。この場合、広告表示／接続サーバ１２２はＨＴＴＰ−Ｒｅｑｕｅｓｔをそのまま、すなわち、無料で、インターネット１０４に送出する。
【００４２】
なお、インターネット１０４に送出後、端末データベース１２３に登録された端末１０１のＭＡＣアドレスを消去する。同じ端末１０１のインターネット１０４へのアクセスに対して再度広告を端末１０１に表示させるためである。
上記の手順により端末１０１はインターネット１０４上の任意のサーバと通信することが可能となる。また、無線ＬＡＮスポットシステム１０２毎の広告配信回数を広告配信サーバ１０３側で管理できるので、広告配信サーバ１０３の広告主若しくはその代理（広告代理店など）は、無線ＬＡＮスポットに対して適切な広告料の支払いを行うことができる。
【００４３】
このようにして、無線ＬＡＮスポットシステム１０２に接続する端末１０１に広告を配信させ、広告の配信数に応じた広告料を無線ＬＡＮスポットシステム１０２の事業者に対して広告配信サーバ１０３の広告主若しくはその代理（広告代理店など）が支払うシステムを構築したので、無線ＬＡＮスポット提供者である無線ＬＡＮスポットシステム１０２の事業者は、無線ＬＡＮスポットの利用者数の増加に応じて広告収入が得られるという効果を期待でき、従来、特に個人レベルでは公衆無線ＬＡＮスポットの提供側での料金の徴収は難しかったが、これを解決することができる。
【００４４】
また、広告配信サーバ１０３の広告主若しくはその代理（広告代理店など）側で広告の表示回数を管理できるので、無線ＬＡＮスポットシステム１０２の事業者に正しく広告料の支払いを行うことができる。
また、一般の事業者／店舗に公衆無線ＬＡＮスポットシステム１０２を置くモデルだけでなく、個人レベルで公衆無線ＬＡＮスポットシステム１０２を置いて広告収入を得ることも可能になり、個人レベルでの公衆無線ＬＡＮスポットシステム１０２設置のモチベーションが上がり、無線ＬＡＮスポットシステム１０２の数が増加すると期待される。この結果、利用者にとって無線ＬＡＮスポットシステム１０２を利用するエリアが広がることになり、公衆無線ＬＡＮスポットシステム１０２の利用環境が向上する効果が期待でき、利用者にとっては無料で無線ＬＡＮスポットシステム１０２を利用できるので、利用者の増加が期待される。
【００４５】
また、広告配信サーバ１０３の広告主若しくはその代理（広告代理店など）にとっては、リッチな広告コンテンツを配信することが可能になり、広告配信のチャンネルがより増えるという利点が期待される。
【実施例１】
【００４６】
次に、端末１０１が無線ＬＡＮに接続するための「設定情報」について言及する。以下のように、各種設定情報が必要となる。
図５は図１の変形例であり、本発明に係る無線ＬＡＮスポットでの広告配信システムの概略構成を示すブロック図である。本図に示すように、図１と比較して、無線ＬＡＮスポットシステム１０２の広告表示／接続サーバ１２２には自動設定送信部１２５が設けられ、端末１０１には自動設定制御部１１３が設けられる。
【００４７】
自動設定送信部１２５は端末１０１が広告表示／接続サーバ１２２に接続した際、無線ＬＡＮに接続するために、ＳＳＩＤ（Ｓｅｒｖｉｃｅ  Ｓｅｔ  Ｉｄｅｎｔｉｆｅｒ）、ＷＥＰ（Ｗｉｒｅｄ  Ｅｑｕｉｖａｌｅｎｔ  Ｐｒｉｖａｃｙ）キー、ＩＰ（Ｉｎｔｅｒｎｅｔ  Ｐｒｏｔｏｃｏｌ）アドレスなどの各種設定情報を自動的に生成し、端末１０１に送信する。
【００４８】
端末１０１の自動設定制御部１１３では送信されたＳＳＩＤ、ＷＥＰキー、ＩＰアドレスなど設定情報を読み込み、端末１０１の設定が行なわれる。
これらを自動的に設定するため、いくつかの方法が実用化されており、例えば、ＩＰアドレスの取得にはＤＨＣＰ（Ｄｙｎａｍｉｃ  Ｈｏｓｔ  Ｃｏｎｆｉｇｕｒａｔｉｏｎ  Ｐｒｏｔｏｃｏｌ）を使用するのが一般的である。
【００４９】
設定情報に含まれる広告情報（広告配信サーバ１０３のＵＲＬ、又は広告ＨＴＭＬファイルそのもの）をＷｅｂブラウザ１１２に渡し、広告の表示を行う。
このようにして、前述の実施例では、広告情報を配信する際に、ＨＴＴＰ−Ｒｅｄｉｒｅｃｔメッセージを用いていたが、「設定情報」に広告配信サーバ（ＡｄＳｅｒｖｅｒ）１０３のＵＲＬ、又は、広告そのもの（ＨＴＭＬファイル）を埋め込んで送信することも可能となる。
【実施例２】
【００５０】
次に、広告配信サーバ１０３が広告を選択する方法について言及する。
図６は図１における広告配信サーバ１０３の広告データベース１３１に、各広告ＵＲＬに無線ＬＡＮスポットＩＤを対応させて保存する例を示す図である。
本図に示すように、広告配信サーバ１０３の広告データベース１３１には広告ＵＲＬの情報が格納されるが、無線ＬＡＮスポットの地域に応じて配信する広告を変更する例として、無線ＬＡＮスポットＩＤとして、ＨｏｔＳｐｏｔＡ、ＨｏｔＳｐｏｔＢ、ＨｏｔＳｐｏｔＣに対して、各広告ＵＲＬ、例えば、http://ad.foo.com/a.html、http://ad.foo.com/b.html、http://ad.foo.com/c.htmlが保存される。
【００５１】
このようにすると、地域に応じて適切な広告を配信することができるため、広告効果を向上させることが可能である。
【図面の簡単な説明】
【００５２】
【図１】本発明に係る無線ＬＡＮスポットでの広告配信システムの概略構成を示すブロック図である。
【図２】図１における広告配信サーバ１０３の広告料データベース１３２により管理される広告表示回数の例を示す図である。
【図３】図２における無線ＬＡＮスポットでの広告配信システムの動作例を説明するフローチャートである。
【図４】ＨＴＴＰ-ＲｅｑｕｅｓｔのヘッダにホットスポットＩＤを埋め込む例を説明する図である。
【図５】図１の変形例であり、本発明に係る無線ＬＡＮスポットでの広告配信システムの概略構成を示すブロック図である。
【図６】図１における広告配信サーバ１０３の広告データベース１３１に、各広告ＵＲＬに無線ＬＡＮスポットＩＤを対応させて保存する例を示す図である。
【符号の説明】
【００５３】
１０１…端末
１０２…無線ＬＡＮスポットシステム
１０３…広告配信サーバ
１０４…インターネット
１０５…サービスサーバ
１０６…無線ＬＡＮ
１０７…有線ＬＡＮ
１１１…無線ＬＡＮ接続手段
１１２…Ｗｅｂブラウザ
１１３…自動設定制御部
１２１…アクセスポイント
１２２…広告表示／接続サーバ
１２３…端末データベース
１２４…ＨＴＴＰ通信部
１２５…自動設定送信部
１３１…広告データベース
１３２…広告料データベース
１３３…ＨＴＴＰ通信部
【図１】
2005267122.tif 000003
【図２】
2005267122.tif 000004
【図３】
2005267122.tif 000005
【図４】
2005267122.tif 000006
【図５】
2005267122.tif 000007
【図６】
2005267122.tif 000008